(57)【要約】【課題】基板等の接続対象物の方向に柔軟性を持たせることができ、所定の一方向以外の方向からでも雄側コネクタと雌側コネクタを接続させることができるコネクタを提供すること。【解決手段】プラグ型の雄側コネクタ１０とソケット型の雌側コネクタ２０とからなり、両コネクタ１０，２０を接続させることで電気的に接続可能な雄雌コネクタについて、雄側ハウジング１１の短手方向の一方から雄側ハウジング１１の上下方向の何れか一方を経由して雄側ハウジング１１の短手方向の他方に到る１８０°の全方向に対して雄側端子１２の接触部１２ｂ近傍が外部に開放しており、雌側ハウジング２１の短手方向の一方から雌側ハウジング２１の上下方向の何れか一方を経由して雌側ハウジング２１の短手方向の他方に到る１８０°の全方向に対して雌側端子２２の接点２２ｂが外部に開放している雄雌コネクタ１０，２０とした。【選択図】図１
2015138686.tif 000002
【特許請求の範囲】
【請求項１】
プラグ型の雄側コネクタとソケット型の雌側コネクタとからなり、両コネクタを接続させることで電気的に接続可能な雄雌コネクタにおいて、
雄側コネクタは、雄側ハウジングと、互いに幅方向に間隔をおき幅方向が端子の板厚方向となるように雄側ハウジングに保持される雄側端子を備え、
雌側コネクタは、雌側ハウジングと、互いに幅方向に間隔をおいて雌側ハウジングに保持される雌側端子を備え、
雄側端子は、雌側端子に接触する接触部を有する先端部と、雄側ハウジングに保持される保持部とを備え、
雌側端子は、雄側端子の接触部に接する接点を有する先端部と、この先端部を弾性支持する弾性腕と、雌側ハウジングに保持される保持部とを備え、
雄側ハウジングの短手方向の一方から雄側ハウジングの上下方向の何れか一方を経由して雄側ハウジングの短手方向の他方に到る１８０°の全方向に対して雄側端子の接触部近傍が外部に開放しており、
雌側ハウジングの短手方向の一方から雌側ハウジングの上下方向の何れか一方を経由して雌側ハウジングの短手方向の他方に到る１８０°の全方向に対して雌側端子の接点が外部に開放していることを特徴とする雄雌コネクタ。
【請求項２】
雌側ハウジングの接合側壁から長手方向に間隔を空けて櫛歯状に立設し雄側端子の挿入をガイドする仕切壁を雌側ハウジングに設け、この仕切壁の内側に雌側端子の弾性腕を収容するとともに、仕切壁に設けた開口から雌側端子の接点を突出させた請求項１記載の雄雌コネクタ。
【請求項３】
雄側端子は平板状に形成し、雌側端子は雌側ハウジングの長手方向に対向する一対の接点を有する二股状に形成し、雌側端子によって雄側端子を挟持することにより、雄側端子および雌側端子を互いに摺動自在かつ回動自在に接触可能とした請求項１または請求項２記載の雄雌コネクタ。
【請求項４】
雄側ハウジングと雌側ハウジングは、相手側ハウジングと係合し位置決め指標となる係合部を短手側壁にそれぞれ有する請求項１〜請求項３何れか１項記載の雄雌コネクタ。
【請求項５】
前記それぞれの係合部を凹部と凸部とで形成し、凹部と凸部の表面をそれぞれ角形に形成し、雄側コネクタと雌側コネクタとが所定位置で係合した際に角形の凹部と角形の凸部とが嵌合して安定するものとした請求項４記載の雄雌コネクタ。
【請求項６】
雄側コネクタと雌側コネクタとの正規の最終接合状態における雌側担子の接点の中心から少なくとも３方向の等距離に係合部を設ける請求項４または請求項５記載の雄雌コネクタ。
【請求項７】
プラグ型の雄側コネクタに対し、その雄側端子に接触する接点を有する雌側端子と、互いに幅方向に間隔をおいてこの雌側端子を保持する雌側ハウジングとを備えたソケット型の雌側コネクタにおいて、
雌側端子は、前記接点を有する先端部と、この先端部を弾性支持する弾性腕と、雌側ハウジングに保持される保持部とを備え、
雌側ハウジングの短手方向の一方から雌側ハウジングの上下方向の何れか一方を経由して雌側ハウジングの短手方向の他方に到る１８０°の全方向に対して雌側端子の接点が外部に開放していることを特徴とする雌側コネクタ。
【請求項８】
雌側ハウジングの接合側壁から長手方向に間隔を空けて櫛歯状に立設し雄側端子の挿入をガイドする仕切壁を雌側ハウジングに設け、この仕切壁の内側に雌側端子の弾性腕を収容するとともに、仕切壁に設けた開口から雌側端子の接点を突出させた請求項７記載の雌側コネクタ。
【請求項９】
雌側ハウジングは、雄側ハウジングと係合し位置決め指標となる係合部を短手側壁に有し、その係合部を表面が角形の凹部または凸部で形成し、雄側コネクタと所定位置で係合した際に角形の凹部または凸部が雄側コネクタの係合部と嵌合して安定するものとした請求項７または請求項８記載の雌側コネクタ。
【発明の詳細な説明】
【技術分野】
【０００１】
本発明は、プリント基板等の接続対象部材に取付けられ、２つの接続対象部材間を電気的に接続するために用いる雄側コネクタと雌側コネクタとからなる雄雌コネクタと、その一方の雌側コネクタに関する。
【背景技術】
【０００２】
従来、複数の基板を接続する場合には、各基板の両端にそれぞれ雄側コネクタと雌側コネクタを取り付け、各基板の雄側コネクタと雌側コネクタとを嵌合することにより、基板同士を接続するようにしたものが知られており、例えば実用新案登録第３０９２６１０号公報（特許文献１）にその技術が記載されている。
【先行技術文献】
【特許文献】
【０００３】
【特許文献１】実用新案登録第３０９２６１０号公報
【発明の概要】
【発明が解決しようとする課題】
【０００４】
ところが従来のコネクタによる接続は、雄側コネクタと雌側コネクタの嵌合方向が決まっており、雄側コネクタと雌側コネクタとの着脱は、基板同士を互いに水平にした状態等の所定の状態でなければ行うことができなかった。そのため、一方の基板を他方の基板に対して斜めにしてコネクタを嵌合できたとすれば、接続作業が容易になるような場合でも、コネクタの斜め嵌合はできずに接続作業に苦労するという問題があった。また、こうした問題と関連して、基板の配置方向に柔軟性を持たせることができないという問題もあった。
【０００５】
そこで本発明は、上記課題に鑑みてなされたものであり、その目的とするところは、基板等の接続対象物の方向に柔軟性を持たせることができ、所定の一方向以外の方向からでも雄側コネクタと雌側コネクタを接続させることができる技術を提供することにある。
【課題を解決するための手段】
【０００６】
上記目的を達成するために、プラグ型の雄側コネクタとソケット型の雌側コネクタとからなり、両コネクタを接続させることで電気的に接続可能な雄雌コネクタについて、雄側コネクタは、雄側ハウジングと、互いに幅方向に間隔をおき幅方向が端子の板厚方向となるように雄側ハウジングに保持される雄側端子を備え、雌側コネクタは、雌側ハウジングと、互いに幅方向に間隔をおいて雌側ハウジングに保持される雌側端子を備え、雄側端子は、雌側端子に接触する接触部を有する先端部と、雄側ハウジングに保持される保持部とを備え、雌側端子は、雄側端子の接触部に接する接点を有する先端部と、この先端部を弾性支持する弾性腕と、雌側ハウジングに保持される保持部とを備え、雄側ハウジングの短手方向の一方から雄側ハウジングの上下方向の何れか一方を経由して雄側ハウジングの短手方向の他方に到る１８０°の全方向に対して雄側端子の接触部近傍が外部に開放しており、雌側ハウジングの短手方向の一方から雌側ハウジングの上下方向の何れか一方を経由して雌側ハウジングの短手方向の他方に到る１８０°の全方向に対して雌側端子の接点が外部に開放していることを特徴とする雄雌コネクタを提供する。
【０００７】
プラグ型の雄側コネクタとソケット型の雌側コネクタとからなる雄雌コネクタであるため、雌側コネクタに雄側コネクタを差し込んで接続することで容易に電気的な接続をすることができる。
雄側コネクタは、雄側ハウジングと、互いに幅方向に間隔をおき幅方向が端子の板厚方向となるように雄側ハウジングに保持される雄側端子を備えるため、複数の雄側端子を雄側コネクタの長手方向に狭間隔で設けることができる。
雌側コネクタは、雌側ハウジングと、互いに幅方向に間隔をおいて雌側ハウジングに保持される雌側端子を備えるため、雄側端子と接触させる雌側端子を雌側ハウジングにコンパクトに収容、保持することができる。
【０００８】
雄側端子は、雌側端子に接触する接触部を有する先端部と、雄側ハウジングに保持される保持部とを備えるため、端子の先端部の広い部分を雌側端子と接触する接触部とすることができる。
雌側端子は、雄側端子の接触部に接触する接点を有する先端部と、この先端部を弾性支持する弾性腕と、雌側ハウジングに保持される保持部とを備えるため、雄側端子の接触部に接触する接点で雄側端子の接触部と接触させて雄側端子と雌側端子の導通を確保することができる。また、先端部を弾性支持する弾性腕を設けたため、この弾性腕を撓ませることで雌側端子の接点と雄側端子の接触部とを所定の押圧力をもって接続させることができ、雄側端子と雌側端子の確実な接触をもたらすことができる。
【０００９】
雄側ハウジングの短手方向の一方から雄側ハウジングの上下方向の何れか一方を経由して雄側ハウジングの短手方向の他方に到る１８０°の全方向に対して雄側端子の接触部近傍が外部に開放しているため、この１８０°の全方向には障害物が無く、この１８０°の全方向から雄側端子を雌側端子に差し込むことができる。
また、雌側ハウジングの短手方向の一方から雌側ハウジングの上下方向の何れか一方を経由して雌側ハウジングの短手方向の他方に到る１８０°の全方向に対して雌側端子の接点が外部に開放しているため、この１８０°の全方向には障害物が無く、この１８０°の全方向から雄側端子を雌側コネクタに受け入れることができる。
【００１０】
雌側ハウジングの接合側壁から長手方向に間隔を空けて櫛歯状に立設し雄側端子の挿入をガイドする仕切壁を雌側ハウジングに設け、この仕切壁の内側に雌側端子の弾性腕を収容するとともに、仕切壁に設けた開口から雌側端子の接点を突出させたものとすることができる。
雌側ハウジングの接合側壁から長手方向に間隔を空けて櫛歯状に立設し雄側端子の挿入をガイドする仕切壁を雌側ハウジングに設け、この仕切壁の内側に雌側端子の弾性腕を収容するとともに、仕切壁に設けた開口から雌側端子の接点を突出させたため、この仕切壁を通じて雄側端子の先端部を雌側端子の接点間に容易に導くことができる。
また、雌側端子の弾性腕を仕切壁の内側に収容したため、雄側端子が弾性腕に接触することを防ぎ、弾性腕に予期せぬ外力が加わることを防止することができる。さらに、仕切壁に設けた開口から接点を突出させたため、仕切壁に導かれて挿入される雄側端子と無理なく接触させることができる。
【００１１】
雄側端子は平板状に形成し、雌側端子は雌側ハウジングの長手方向に対向する一対の接点を有する二股状に形成し、雌側端子によって雄側端子を挟持することにより、雄側端子および雌側端子を互いに摺動自在かつ回動自在に接触可能とすることができる。
雄側端子を平板状に形成し、雌側端子は雌側ハウジングの長手方向に対向する一対の接点を有する二股状に形成し、雌側端子によって雄側端子を挟持することにより、雄側端子および雌側端子を互いに摺動自在かつ回動自在に接触可能としたため、一方のコネクタを他方のコネクタに対して所定の１８０°の全の方向から接続させることができる。また、一方のコネクタを他方のコネクタに対して所定の１８０°の方向から接続させた後、一方のコネクタを他方のコネクタに対して回動させることで所望の接合位置まで動かすことができる。そのため、一方の基板に対して他方の基板を斜めにした状態でコネクタどうしを接合することができる。
【００１２】
雄側ハウジングと雌側ハウジングは、相手側ハウジングと係合し位置決め指標となる係合部を短手側壁にそれぞれ有するものとすることができる。
雄側ハウジングと雌側ハウジングは、相手側ハウジングと係合し位置決め指標となる係合部を短手側壁にそれぞれ有するため、雄側コネクタと雌側コネクタとを所定の位置で係合させることができる。そのため、両コネクタを種々の方向から接続させたときでも所定位置に移動させることができる。
【００１３】
前記それぞれの係合部を凹部と凸部とで形成し、凹部と凸部の表面をそれぞれ角形に形成し、雄側コネクタと雌側コネクタとが所定位置で係合した際に角形の凹部と角形の凸部とが嵌合して安定する雄雌コネクタとすることができる。
前記それぞれの係合部を凹部と凸部とで形成し、凹部と凸部の表面をそれぞれ角形に形成し、雄側コネクタと雌側コネクタとが所定位置で係合した際に角形の凹部と角形の凸部とが嵌合して安定するものとしたため、凹部と凸部とで係合させた後に動き難くすることができ、所定位置で安定して両コネクタを保持することができる。
【００１４】
雄側コネクタと雌側コネクタとの正規の最終接合状態における雌側担子の接点の中心から少なくとも３方向の等距離に係合部を設けることができる。
雄側コネクタと雌側コネクタとの正規の最終接合状態における雌側担子の接点の中心から少なくとも３方向の等距離に係合部を設けたため、一方のコネクタの上下方向および前後方向から相手コネクタを接合し、その位置で位置ずれなく両コネクタを固定することができる。
【００１５】
さらに、プラグ型の雄側コネクタに対し、その雄側端子に接触する接点を有する雌側端子と、互いに幅方向に間隔をおいてこの雌側端子を保持する雌側ハウジングとを備えたソケット型の雌側コネクタについて、雌側端子は、前記接点を有する先端部と、この先端部を弾性支持する弾性腕と、雌側ハウジングに保持される保持部とを備え、雌側ハウジングの短手方向の一方から雌側ハウジングの上下方向の何れか一方を経由して雌側ハウジングの短手方向の他方に到る１８０°の全方向に対して雌側端子の接点が外部に開放していることを特徴とする雌側コネクタを提供する。
【００１６】
プラグ型の雄側コネクタに対し、その雄側端子に接触する接点を有する雌側端子を備えた雌側コネクタであるため、雌側コネクタと雄側コネクタとを電気的に接続可能とすることができる。
雌側ハウジングと、互いに幅方向に間隔をおいて雌側ハウジングに保持される雌側端子とを備えるため、雄側端子と接触させる雌側端子をコンパクトに収容、保持することができる。
【００１７】
雌側端子は、雄側端子に接触する接点を有する先端部と、この先端部を弾性支持する弾性腕と、雌側ハウジングに保持される保持部とを備えるため、この接点で雄側端子の接触部と接触させて雄側端子と雌側端子の導通を確保することができる。また、先端部を弾性支持する弾性腕を設けたため、この弾性腕を撓ませることで雌側端子の接点と雄側端子の接触部とを所定の押圧力をもって接続させることができ、雄側端子と雌側端子の確実な接触をもたらすことができる。
【００１８】
雌側ハウジングは、雄側ハウジングと係合し位置決め指標となる係合部を有し、その係合部を表面が角形の凹部または凸部で形成し、雄側コネクタと所定位置で係合した際に角形の凹部または凸部が雄側コネクタの係合部と嵌合して安定するものとすることができる。
雌側ハウジングは、雄側ハウジングと係合し位置決め指標となる係合部を有し、その係合部を表面が角形の凹部または凸部で形成し、雄側コネクタと所定位置で係合した際に角形の凹部または凸部が雄側コネクタの係合部と嵌合して安定するものとしたため、凹部と凸部に設けた角形で互いに嵌合させることができ、その嵌合位置で安定して雄コネクタを保持することができる。
【発明の効果】
【００１９】
本発明によれば、基板等の接続対象物の方向に柔軟性を持たせることができる。また、所定の一方向以外の方向からでも雄側コネクタと雌側コネクタを接続させることができる。
さらに本発明によれば、接合後、所望の接合位置に動かすことができる。また、動かした後、所望の方向で雄側コネクタと雌側コネクタとを安定して接続させておくことができる。
【図面の簡単な説明】
【００２０】
【図１】基板に取り付けた雄側コネクタと雌側コネクタの斜視図である。
【図２】雄側コネクタの底面図である。
【図３】雄側コネクタの正面図である。
【図４】雄側端子の斜視図である。
【図５】雌側コネクタの平面図である。
【図６】雌側コネクタの正面図である。
【図７】雌側端子の斜視図である。
【図８】雌側コネクタに雄側コネクタを３方向から接合可能な状態を説明する斜視図である。
【図９】雌側コネクタに雄側コネクタの向きを変えて２方向から接合可能な状態を説明する斜視図である。
【図１０】基板に対する接合向きを変えた別の雌側コネクタに別の雄側コネクタを３方向から接合可能な状態を説明する斜視図である。
【図１１】雄側コネクタの向きを変えて３方向から接合可能な状態を説明する斜視図である。
【図１２】半球状の係合部の説明図であり、分図１２（Ａ）は雌側コネクタの概略側面図、分図１２（Ｂ）は雄側コネクタの概略側面図である。
【図１３】四角形状の係合部の説明図であり、分図１３（Ａ）は雌側コネクタの部分拡大側面図とその端面図、分図１３（Ｂ）は雄側コネクタの部分拡大側面図とその端面図である。
【図１４】正８角形状の係合部の説明図であり、分図１４（Ａ）は雌側コネクタの概略側面図、分図１４（Ｂ）は雄側コネクタの概略側面図である。
【図１５】４箇所に備える係合部の説明図であり、分図１５（Ａ）は雌側コネクタの概略側面図、分図１５（Ｂ）は雄側コネクタの概略側面図である。
【図１６】十字形の係合部の説明図であり、分図１６（Ａ）は雌側コネクタの部分拡大側面図とそのＳＡ−ＳＡ線断面図、分図１６（Ｂ）は雄側コネクタの部分拡大側面図とそのＳＢ−ＳＢ線断面図である。
【図１７】４箇所に備える別の係合部の説明図であり、分図１７（Ａ）は雌側コネクタの概略側面図、分図１７（Ｂ）は雄側コネクタの概略側面図である。
【発明を実施するための形態】
【００２１】
本発明について実施形態に基づきさらに詳細に説明する。
図１は、雄側コネクタ１０と雌側コネクタ２０の斜視図である。雄側コネクタ１０は、プリント基板Ｐ１等の接続対象部材に設置されて、別のプリント基板Ｐ２等に設置される雌側コネクタ２０と接続し、雄側コネクタ１０の雄側ハウジング１１に備える雄側端子１２と、雌側コネクタ２０の雌側ハウジング２１に備える雌側端子２２とが接触して、プリント基板Ｐ１，Ｐ２どうしを電気的に接続するものである。
本明細書または特許請求の範囲の記載において、図１のＸ方向を各コネクタ１０，２０の長手方向（または「幅方向」）、Ｙ方向を短手方向（または「前後方向」）、Ｚ方向を上下方向として説明する。但しこれらの方向は各コネクタ１０，２０の使用方法を定めるものではなく、各コネクタ１０，２０について位置関係を説明するための便宜的なものである。
【００２２】
雄側コネクタ１０は、合成樹脂の成型品からなる雄側ハウジング１１と、雄側ハウジング１１に保持されて雄側ハウジング１１の幅方向を板厚方向として複数個配列する雄側端子１２とを有するプラグ型コネクタである。
雄側ハウジング１１は、図２や図３で示すように、略直方体形状の外形を有し、長手方向の側壁となる長手側壁１１ａ，１１ａと短手方向の側壁となる短手側壁１１ｃ，１１ｃ、そして上下方向では雄側端子１２が露出する接合側壁１１ｅと非接合側壁１１ｆを有している。
【００２３】
短手側壁１１ｃは長手側壁１１ａよりも上下方向に長く形成され、短手側壁１１ｃの方向から雄側ハウジング１１を見れば、雄側端子１２が隠れるようになっている。
接合側壁１１ｅには、雄側端子１２が内側から突き出す開口１１ｇが設けられている。また、非接合側壁１１ｆにも雄側端子１２が内側から突き出す開口（図示せず）が設けられている。
【００２４】
短手側壁１１ｃには、基板Ｐ１に雄側ハウジング１１を接続する固定部位１３が設けられ、固定部位１３に取り付けられた固定部材１３ａで基板Ｐ１と雄側ハウジング１１とを接続している。
なお、図１で示した例では、雄側ハウジング１１の接合側壁１１ｅの壁面が基板Ｐ１に対して直交する向きとなるように基板Ｐ１と雄側ハウジング１１とを結合している。
【００２５】
雄側端子１２は、導電性の金属板からなり、その板厚方向が雄側コネクタ１０の幅方向となるように互いに間隔を置いて互い違いに複数配置され、雄側ハウジング１１に保持されている。
各雄側端子１２は、接合側壁１１ｅの開口１１ｇから突き出した部分が先端部１２ａとなり、図４で示すように、その先端部１２ａの表裏両面が雌側端子２２と接触する接触部１２ｂ，１２ｂとなっている。また雄側端子１２は、雄側ハウジング１１に保持される部分となる保持部１２ｃと、基板Ｐ１に接続する接続部１２ｄとを有している。
【００２６】
各雄側端子１２の接触部１２ｂ近傍は、雄側ハウジング１１の短手方向の前方から雄側ハウジング１１の上下方向の下方を経由して雄側ハウジング１１の短手方向の後方に到る１８０°の全方向に対して外部に開放している。換言すれば図３において、紙面手前側から下側を経由して紙面奥側（裏側）に到る１８０°の全方向に対して接触部１２ｂ近傍が外部に開放している。
ここで接触部１２ｂ近傍とは、接触部１２ｂおよびその周辺の少なくとも何れかの部分を意味するものであり、接触部１２ｂだけを意味するものとは異なる。しかしながら、本実施形態では、接触部１２ｂが上記１８０°の全方向に対して開放されているため、接触部１２ｂが外部に開放されていると言った場合と結果的に同義となっている。
【００２７】
また、非接合側壁１１ｆから突き出した雄側端子１２は、その接続部１２ｄが基板Ｐ１上の接点（図示せず）に接続している。
雄側ハウジング１１の短手側壁１１ｃの内側には、雌側コネクタ２０と係合させる雄側係合部１４（図１〜図１１では図示せず）が設けられている。
【００２８】
雌側コネクタ２０は、合成樹脂の成型品からなる雌側ハウジング２１と、雌側ハウジング２１に保持された複数の雌側端子２２とを有している。
雌側ハウジング２１は、図５、図６で示すように、略直方体形状の外形を有し、雌側ハウジング２１の長手方向の側壁となる長手側壁２１ａ，２１ａと短手方向の側壁となる短手側壁２１ｃ，２１ｃ、そして上下方向で雌側端子２２が露出する接合側壁２１ｅと非接合側壁２１ｆを有している。
短手側壁２１ｃは長手側壁２１ａよりも上下方向に長く形成され、短手側壁２１ｃの方向から雌側ハウジング２１を見れば、雌側端子２２が隠れるようになっている。
【００２９】
接合側壁２１ｅには、雌側端子２２の弾性腕２２ｃと先端部２２ａを保護するとともに、雄側端子１２の挿入をガイドする仕切壁２１ｊが櫛刃状に複数個立設されている。そして、仕切壁２１ｊには雌側端子２２の接点２２ｂが表出する開口２１ｇが設けられている。
また、雌側ハウジング２１の非接合側壁２１ｆにも開口（図示せず）が設けられ、雌側端子２２の接続部２２ｅが内側から突き出して基板Ｐ２に接続されている。
【００３０】
雌側ハウジング２１の短手側壁２１ｃには、基板Ｐ２に雌側ハウジング２１を接続する固定部位２３が設けられ、この固定部位２３に取り付けられた固定部材２３ａが基板Ｐ２と雌側ハウジング２１とを接続している。
なお、図１で示した例では、雌側ハウジング２１の接合側壁２１ｅの壁面が基板Ｐ２に対して平行な向きとなるように基板Ｐ２と雌側ハウジング２１とを結合している。
【００３１】
雌側端子２２は、導電性の金属板からなり、その板厚方向が雄側コネクタ２０の幅方向となるように互いに間隔を置いて複数配置され、雌側ハウジング２１に保持されている。但し、隣り合う雌側端子２２は、図５で示すように、互い違いになるように配置されている。
各雌側端子２２は、図７で示すように、雄側端子１２の接触部１２ｂと接触する接点２２ｂを有する先端部２２ａと、その先端部２２ａを弾性支持する弾性腕２２ｃと、雌側ハウジング２１との間で固着される保持部２２ｄと、基板Ｐ２に接続する接続部２２ｅとを有している。
【００３２】
先端部２２ａは互いに対向するとともに、接点１２ｂ位置から遠ざかるほど相手接点から離れるような滑らかな凸面に形成されている。先端部２２ａどうしは接点２２ｂで接触しているか、僅かに離れている。この先端部２２ａに連なる弾性腕２２ｃは、先端部２２ａから保持部２２ｄに向けて接点２２ｂから離れる方向に傾斜して設けられている。保持部２２ｄは互いに対向する部分とその対向部分を繋ぐ部分とからなり横断面で略コ字状に形成されている。接続部２２ｅは保持部２２ｄから突出して形成されている。
【００３３】
雌側端子２２は、保持部２２ｄが雌側ハウジング２１の内側に形成された端子取付部（図示せず）に取り付けられ、仕切壁２１ｊに設けた開口２１ｇから先端部２２ａの接点２２ｂを突出させている。すなわち、雌側ハウジング１１の短手方向の前方から雌側ハウジング２１の上下方向の上方を経由して雌側ハウジング２１の短手方向の後方に到る１８０°の全方向に対して雌側端子２２の接点２２ｂが外部に開放している。即ち、この１８０°の全方向には接点２２ｂに向かって遮るものがない。
【００３４】
また、非接合側壁２１ｆに設けた開口（図示せず）から突き出した接続部２２ｅは、基板Ｐ２上の接点に接続している。
雌側ハウジング２１の短手側壁２１ｃの外側には、雄側コネクタ１０と係合させる雌側係合部２４が設けられている（図１では図示せず）。
【００３５】
以上のように構成された雄雌コネクタ１０，２０を嵌合させる場合は、図１で示すように、雌側コネクタ２０に対して、ｉ）上方向から雄側コネクタ１０を接続することができる他、図８で示すように、ii)前方向から、またはiii)後方向から雄側コネクタ１０を接続することができる。
【００３６】
雄雌コネクタ１０，２０の接続方向は適宜変更できる。
図８で示す実施形態のうち、雌側コネクタ２０に対してiii)後方向から雄側コネクタ１０を接続する場合において、図９で示すように、雄側コネクタ１０を寝かせた状態で接続させることもできる。また、ii)前方向から雄側コネクタ１０を接続する場合においても、図９で示すように、雄側コネクタ１０を寝かせた状態で接続させることもできる。
【００３７】
雄雌コネクタ１０，２０の基板Ｐ１，Ｐ２に対する取付方向も適宜変更できる。図８で示す実施形態では、雌側ハウジング２１の底面（非接合側壁２１ｆの壁面）が基板Ｐ２に対して平行であるように取り付けている。そうした一方で、図１０に示す雌側コネクタ４０は、その長手側壁４１ａが基板Ｐ２に対して平行としており、非接合側壁４１ｆは基板Ｐ２に対して垂直である。
なお、図１０で示す雄雌コネクタ３０，４０は、これまで説明した雄雌コネクタ１０，２０の変形例である。雄側コネクタ３０は、短手方向の幅が雄側コネクタ１０よりも短く形成されている。また、雌側コネクタ４０は、その長手側壁４１ａが基板Ｐ２と平行になるような固定部位２３を有し基板Ｐ２に組付けられている。また、短手方向の幅が雌側コネクタ２０よりも短く形成されている。しかしながらその他の構成については雄雌コネクタ１０，２０と略同様である。
【００３８】
また、図８で示す実施形態では、雄側ハウジング１１の長手側壁１１ａの壁面が基板Ｐ１に対して平行であるように取り付けている。そうした一方で、図示しないが、雄側ハウジング１１の長手側壁２１ａを基板Ｐ２に対して垂直、即ち、非接合側壁１１ｆを基板Ｐ１に対して平行とすることもできる。
【００３９】
このように構成しても、雌側コネクタ４０のｉ）上方向から雄側コネクタ３０を接続することができる他、図１０で示すように、ii)前方向から、またはiii)後方向から雄側コネクタ３０を接続できることに変わりはない。
また、図８で示したiii)後方向からの接合では、雄側コネクタ１０の後側に基板Ｐ１があったが、図１０で示したiii)後方向からの接合では、雄側コネクタ１０の前側に基板Ｐ１がある位置で、両コネクタ３０，４０を接合することができる。
【００４０】
雄雌コネクタ１０，２０や雄雌コネクタ３０，４０の互いの接続方向は、i)上方向、ii)前方向、iii)後方向の３方向からとして説明したが、図１１で示すように、雌側ハウジング４１の短手方向の一方（前方向）から雌側ハウジング４１の上下方向の上方(上方向)を経由して雌側ハウジング４１の短手方向の他方（後方向）に到る１８０°の全方向から、雄側コネクタ３０を接続させることができる。こうした１８０°の全方向から接続できることは図８〜図１０に示す例でも同様である。雌側コネクタ４０と雄側コネクタ３０を反対にすれば、雄側コネクタ３０の１８０°の全方向から雌側コネクタ４０を接続することができる。
【００４１】
ここで、雄側コネクタ１０の雄側ハウジング１１に設けた雄側係合部１４と、雌側コネクタ２０の雌側ハウジング２１に設けた雌側係合部２４について以下に詳しく説明する。なお、雄側コネクタ３０の雄側ハウジング３１や雌側コネクタ４０の雌側ハウジング４１については、同様の係合部を取り付けることができるので説明を省略する。
雄側ハウジング１１の短手側壁１１ｃの内側に設ける係合部１４と、雌側ハウジング２１の短手側壁２１ｃの外側に設ける係合部２４は、最も簡単には図１２で示すように、両係合部１４，２４の一方を半球状に突き出した凸部とし、もう一方を半球状に凹んだ凹部とすることができる。凸部と凹部が係合することで雄側ハウジング１１と雌側ハウジング２１の最終接合位置の位置決めになり、接合後のズレを防止し、さらには接合を解く際の取り外しの困難性を高めることができる。
【００４２】
図１３で示す例では、雌側コネクタ２０には側面視で四角形状に盛り上がった凸部状の係合部２４が設けられており、雄側コネクタ１０には側面視で四角形状に凹んだ凹部状の係合部１４が設けられている。接合部１４，２４が四角形状であるため、雌側コネクタ２０に対して雄側コネクタ１０が回動し難く安定的に保持される。
即ち、図８において、雌側コネクタ２０に対するi)上位置から雄側コネクタ１０を接合する９０°方向での接合において位置ずれなく両コネクタ１０，２０を接合することができ、その接合状態で両コネクタ１０，２０を保持することができる。また、雌側コネクタ２０に対するii)前位置から雄側コネクタ１０を接合する０°方向での接合においても同様に位置ずれなく両コネクタ１０，２０を接合することができ、その接合状態で両コネクタ１０，２０を保持することができる。iii)後位置からの１８０°方向からの接合でも同様である。
【００４３】
他の両係合部１４，２４の例としては、一方の凸部を四角形以外の多角形状とし、他方の凹部をそれに対応する多角形状とすることができる。例えば、図１４で示すように、表面が正８角形状の凸部と、正８角形状の凹部とで形成することができる。
多角形状とすることで、雄側コネクタ１０または雌側コネクタ２０の一方が他方に対して嵌合した状態で両コネクタ１０，２０を保持することができる。
特に正８角形状とし、その辺の向きを上下方向及び前後方向に揃えたため、０°方向、９０°方向、１８０°方向の３方向位置で接合した状態で両コネクタ１０，２０を嵌合させることができ、加えて４５°方向や１３５°方向から雄側コネクタ１０を接合し、その状態で両コネクタを嵌合させることができる。また、４５°方向や１３５°方向の嵌合位置から接合した後、０°、９０°、１８０°の位置に動かして嵌合保持することができる。
【００４４】
図１５に示す例では、雌側コネクタ２０には側面視で短手側壁２１ｃの四隅に４つの係合部（凸部）２４を設け、雄側コネクタ１０にも同様に側面視で短手側壁１１ｃの裏側の四隅に４つの係合部（凹部）１４を設けたものである。より具体的には、雄側コネクタ１０と雌側コネクタ２０との正規の接合状態において、雌側担子２２の接点２２ｂの中心から等距離であって正方形の４頂点となる位置に係合部１４，２４を設けている。こうした位置に係合部１４，２４を設けることで、雄側コネクタ１０と雌側コネクタ２０とを前後方向および上下方向で位置ずれなく、０°、９０°、１８０°の所望の嵌合状態で安定的に接合保持することができる。
【００４５】
図１６で示す例では、雌側コネクタ２０に設けた係合部２４は、＋字状に突出させており、＋字の中心部分では周辺部分よりもさらに深く突出させている。一方、雄側コネクタ１０に設けた係合部１４は、＋字状に凹ませており、＋字の中心部分では周辺部分よりもさらに深く凹ませている。こうした実施形態でも両コネクタ１０，２０を０°、９０°、１８０°の位置で安定的に接合保持することができる。
【００４６】
図１７に示す例は、図１２で示す半球状の係合部１４，２４を小さくして図１７で示す４箇所に設けたものである。雌側コネクタ２０に対する前方向、上方向、後方向の３方向からの雄側コネクタ１０の係合に関し、何れの係合に対しても少なくとも３箇所の係合部１４，２４が互いに係合するため、前方向、上方向、後方向の３方向の何れの方向の係合でも、雌側コネクタ２０と雄側コネクタ１０とを嵌合させることができる。
【００４７】
以上のように、雄側ハウジング１１の短手側壁１１ｃの内側に係合部１４を設け、雌側ハウジング２１の短手側壁２１ｃの外側に係合部２４を設けることで、この係合部１４，２４同士を係合させることができる。これにより、雌側コネクタ２０に対する雄側コネクタ１０の接合位置を位置決めするための指標とすることができる。また、雌側コネクタ２０に対し雄側コネクタ１０を接合する際の接合方向を案内する指標とすることもできる。さらに、所定の形状の係合部同士が嵌め合うことで、両コネクタ１０，２０を嵌合させることができる。
【００４８】
上記実施形態は本発明の一実施形態であり、本発明は上記実施形態のみに限定されず、その発明の趣旨を逸脱しない範囲での適宜の変更が可能である。
例えば、雄側コネクタ１０に対しても雌側コネクタ２０に設けた仕切壁２１ｊのような雄側端子１２の保護部位を設け、この仕切壁の内側に雄側端子１２を設けることができる。この場合は、仕切壁に設けた開口から接触部１２ｂを露出するように構成する。
こうした構成にあっては、接触部１２ｂを露出させる仕切壁の開口が接触部１２ｂの近傍にあたり、少なくともこの近傍を外部に開放することで上記実施形態と同様の作用効果を奏することができる。
即ち、この場合は、接触部１２ｂが仕切壁の内側に位置することになり外部に開放することはないが、接触部１２ｂの近傍である仕切壁の開口部分が１８０°の全方向に対して開放されているからである。
【符号の説明】
【００４９】
１０    雄側コネクタ
１１    雄側ハウジング
１１ａ    長手側壁
１１ｃ    短手側壁
１１ｅ    接合側壁
１１ｆ    非接合側壁
１１ｇ    開口
１２    雄側端子
１２ａ    先端部
１２ｂ    接触部
１２ｃ    保持部
１２ｄ    接続部
１３    固定部位
１３ａ    固定部材
１４    （雄側）係合部
２０    雌側コネクタ
２１    雌側ハウジング
２１ａ    長手側壁
２１ｃ    短手側壁
２１ｅ    接合側壁
２１ｆ    非接合側壁
２１ｇ    開口
２１ｊ    仕切壁
２２    雌側端子
２２ａ    先端部
２２ｂ    接点
２２ｃ    弾性腕
２２ｄ    保持部
２２ｅ    接続部
２３    固定部位
２３ａ    固定部材
２４    （雌側）係合部
３０    雄側コネクタ
３１    雄側ハウジング
３１ａ    長手側壁
３１ｆ    非接合側壁
４０    雌側コネクタ
４１    雌側ハウジング
４１ａ    長手側壁
Ｐ１，Ｐ２    （プリント）基板
【図１】
2015138686.tif 000003
【図２】
2015138686.tif 000004
【図３】
2015138686.tif 000005
【図４】
2015138686.tif 000006
【図５】
2015138686.tif 000007
【図６】
2015138686.tif 000008
【図７】
2015138686.tif 000009
【図８】
2015138686.tif 000010
【図９】
2015138686.tif 000011
【図１０】
2015138686.tif 000012
【図１１】
2015138686.tif 000013
【図１２】
2015138686.tif 000014
【図１３】
2015138686.tif 000015
【図１４】
2015138686.tif 000016
【図１５】
2015138686.tif 000017
【図１６】
2015138686.tif 000018
【図１７】
2015138686.tif 000019